(57)【特許請求の範囲】
【請求項１】
収容空間と連通するように上部が開口された下側ケーシングと、
前記下側ケーシングの底面の中央を貫通して前記収容空間と連通するように設置される空気吸込部と、
前記下側ケーシングの外面の一側に設置されると共に、作動スイッチ及びディスプレイ部を備え、電気的に接続された部品を制御する制御ユニットと、
前記空気吸込部の上面に堅固に設置されて部品の離脱を防止するモータケーシングと、
前記モータケーシングの内部の中央に設置されると共に、前記制御ユニットに電気的に接続されて作動スイッチの操作に応じて作動するモータと、
赤外線ランプと、が備えられたトレー分離型赤外線食品乾燥機において、
反射固定板の上面の一側に沿って設置されると共に、前記制御ユニットの作動スイッチの操作に応じて作動して、食品を乾燥、殺菌、及び脱臭するように赤外線を放出する赤外線ランプと、
前記モータの作動時に前記空気吸込部を介して空気を吸い込むと共に、第１トレーケーシング〜第６トレーケーシングそれぞれの一側に形成されたケーシング下方空気吸込口を介して吸い込んで、空気中に含まれた異物を側面下方空気吸込口の上面に設置されたフィルタでフィルタリングして、異物がフィルタリングされた空気を上側ケーシングの側面に形成された側面下方空気吸込口を介して前記空気吸込口に吸い込んで送風するファンと、
前記下側ケーシングの上面に設置されて、前記モータケーシング、前記モータ、前記赤外線ランプを固定して、赤外線を反射する反射固定板と、
前記ファンを保護し、上面中央部に沿って一定間隔を置いて空気排出口を介して前記ファンから送風される空気を引き出し型トレーに排出する上側ケーシングと、
前記上側ケーシングの上面の一側に着脱可能に配置された第１トレーケーシング〜第６トレーケーシングと、
前記第１トレーケーシング〜第６トレーケーシングの内部にスライド可能に配置され、取っ手を各々備えた引き出し型トレーと、
前記引き出し型トレーの内部に着脱可能に装着されて、上面に置かれる食品を乾燥、殺菌、及び脱臭させる網板乾燥台と、
前記第３トレーケーシング及び第６トレーケーシングの上面に着脱可能に取り付けられ、内部の中央に空気排気口を各々備えた引き出し型トレーの内部の空気を外部に排気する第１及び第２カバーと、
を含むことを特徴とする、赤外線ランプが備えられたトレー分離型赤外線食品乾燥機。
【請求項２】
食品の乾燥に必要な熱源として赤外線ランプが備えられたトレー分離型食品乾燥機であって、
前記上側ケーシングの上面には、
複数の前記トレーケーシングを積層することができ、必要に応じて乾燥中の積層されたトレーケーシングを積層状態から分離しなくても、所望の層のトレーを水平方向に出し入れすることができることを特徴とする、請求項１に記載の赤外線ランプが備えられたトレー分離型赤外線食品乾燥機。
【請求項３】
食品の乾燥に必要な熱源として赤外線ランプが備えられたトレー分離型食品乾燥機であって、
前記引き出し型トレーの内部に装着されている網板乾燥台を分離すると、前記トレーケーシングの内側が開口されて、互いに異なる高さを有する食品または収納容器を選択的に収納することができることを特徴とする、請求項１に記載の赤外線ランプが備えられたトレー分離型赤外線食品乾燥機。
【発明の詳細な説明】
【技術分野】
【０００１】
本発明は、食品乾燥機に関し、より詳細には、空気の加温に必要な熱源として赤外線ランプを備えると共に、食材の乾燥のために食品（食材ともいう）を収納したトレーを食品別に区分して出し入れする際に、使用の利便性を図ることができる、赤外線ランプが備えられたトレー分離型赤外線食品乾燥機に関する。
【背景技術】
【０００２】
一般に、食品の乾燥は、食品の長期間の保管、食品を乾燥状態で飲食物の材料及び動植物の飼料として利用する目的で行われる。
【０００３】
従来の食品の乾燥は、空気と太陽に露出した開放容器で行われていたが、近年は、機械的な食品乾燥機が開発されているのが現状である。このような食品乾燥機は、一般に乾燥される食材を配置する複数のトレーを有しており、通常、入口を介して空気を吸い込んで乾燥機全体に循環させるために、モータで駆動するファンが用いられている。
【０００４】
このような食品乾燥機において、水蒸気により湿度が上昇した乾燥機内の空気が外部に排出されるようにすると同時に、乾燥した新鮮な外気が内部に流入するようにすることは何よりも重要である。
【０００５】
一方、近年、省エネルギー性と乾燥性能の向上に対する関心が高まっており、特に消費電力比の乾燥性能を向上させる研究が盛んに行われると共に、特許庁に多数の案件が出願されている。
【０００６】
そのような中、２０１２年０１月０３日付の韓国出願番号第１０−２０１２−００００７５８号（発明の名称：熱風装置とこれを備える食品乾燥機）が韓国特許庁に出願されている。その請求の範囲は、「食品乾燥機に適用される熱風装置において、モータを包み込むモータケースと、上方向に突出した前記モータの軸に結合して回転するファンと、前記ファンの周囲を取り囲むように設置される熱線取付板に熱線が巻かれた形態を有するヒータと、前記ファンとヒータを覆うようにモータケースに結合されるカバーを含み、前記カバーは、上面と、上面端から垂直下方向に突出され、複数の第１側面通孔と、前記第１側面通孔よりも断面積が小さい連続的な複数の第２側面通孔が繰り返し形成された側面、及び前記側面から延長されて、前記モータケースと結合するフランジ部で構成され、前記第１側面通孔と対応するヒータの熱線取付板には熱線が巻かれ、前記第２側面通孔と対応する熱線取付板には熱線は巻かれておらず、前記カバーの内側面には、前記ファンの回転方向に一定角度傾いた傾斜リブが、前記第１側面通孔から延長されるように設置され、前記熱線によって加熱された空気（熱風）は、ファンによってカバーの側面通孔のうち、特に第１側面通孔を介して主に排出され、排出された熱風は、上昇して食品を乾燥することを特徴とする熱風装置。」である。
【０００７】
しかし、上記従来の熱風装置及びこれを備える食品乾燥機は、赤外線ランプが備えられていないため、食品の乾燥、殺菌及び脱臭などを行うことができず、また、乾燥に必要なトレーの場合、収納と積層が一定の順序だけで行われるため、必要な層の食材を選択したり、別途に移動したりすることができないという問題点があった。
【発明の概要】
【発明が解決しようとする課題】
【０００８】
本発明は、上記従来技術による諸問題を解決するために改良発明されたものであり、本発明の目的は、食材乾燥のための赤外線ランプを備えることにより、食材の乾燥、滅菌及び脱臭を容易にすることができると共に、乾燥のために食材を出し入れする際に、使用の利便性を図ることができる、赤外線ランプが備えられたトレー分離型赤外線食品乾燥機を提供することにある。
【０００９】
しかし、本発明の目的は、上記の目的に制限されず、言及されていない他の目的は、下記の記載から当業者に明確に理解できるであろう。
【課題を解決するための手段】
【００１０】
本発明は、上記目的を達成するために案出されたものであり、本発明に係る赤外線ランプが備えられたトレー分離型赤外線食品乾燥機は、収容空間と連通するように上部が開口された下側ケーシングと、上記下側ケーシングの底面の中央を貫通して、上記収容空間と連通するように設置される空気吸込部と、上記下側ケーシングの外面の一側に設置されると共に、作動スイッチ及びディスプレイ部を備え、電気的に接続された部品を制御する制御ユニットと、上記空気吸込部の上面に堅固に設置されて、部品の離脱を防止するモータケーシングと、上記モータケーシングの内部の中央に設置されると共に、上記制御ユニットに電気的に接続されて作動スイッチの操作に応じて作動するモータと、赤外線ランプと、が備えられたトレー分離型赤外線食品乾燥機において、反射固定板１１６の上面の一側に沿って設置されると共に、上記制御ユニット１１０の作動スイッチ１０６の操作に応じて作動して、食品を乾燥、殺菌、及び脱臭するように赤外線を放出する赤外線ランプ１１８と、上記モータの作動時に空気吸込部を介して空気を吸い込むと同時に、ケーシング下方空気吸込口を介して吸い込んだ空気中に含まれた異物をフィルターでフィルタリングして、異物がフィルタリングされた空気を、上側ケーシングの側面に形成された側面下方空気吸込口を介して上記空気吸込口に吸い込んで送風するファンと、上記下側ケーシングの上面に設置された上記モータケーシング、上記モータ、上記赤外線ランプを固定し、赤外線を反射する反射固定板、及び上記ファンを保護して、上面中央部に沿って一定間隔を置いた空気排出口を介して上記ファンから送風される空気を引き出し型トレーに排出する上側ケーシングと、上記上側ケーシング１２４の上面の一側に着脱可能に配置される第１トレーケーシング〜第６トレーケーシングと、上記第１トレーケーシング〜第６トレーケーシングの内部にスライド可能に配置され、取っ手を各々備えた引き出し型トレーと、上記引き出し型トレーの内部に着脱可能に装着され、その上面に置かれる食品を乾燥、殺菌、及び脱臭させる網板乾燥台と、上記第３トレーケーシング及び第６トレーケーシングの上面に着脱可能に取り付けられ、内部の中央に空気排気口を各々備えることで、引き出し型トレーの内部の空気を外部に排気する第１及び第２カバーと、を含むことを特徴とする。
【発明の効果】
【００１１】
本発明に係る赤外線ランプが備えられたトレー分離型赤外線食品乾燥機によると、食品の乾燥のための赤外線ランプを備えることにより、食品の乾燥、殺菌、脱臭を容易に行うことができるという効果を奏する。
【００１２】
また、本発明は、積層したり取り外したりすることが可能な第１トレーケーシング〜第６トレーケーシングに着脱することができる引き出し型トレーと乾燥台とを有することで、食品または収納容器の出し入れが便利になるという効果を奏する。
【図面の簡単な説明】
【００１３】
【図１】本発明の一実施形態に係る赤外線ランプが備えられたトレー分離型赤外線食品乾燥機を概略的に示す斜視図である。
【図２】図１の赤外線ランプが備えられたトレー分離型赤外線食品乾燥機の正面を概略的に示す正面図である。
【図３】図１の赤外線ランプが備えられたトレー分離型赤外線食品乾燥機の底面を概略的に示す底面図である。
【図４】図１の赤外線ランプが備えられたトレー分離型赤外線食品乾燥機を分解して概略的に示す分解斜視図である。
【図５Ａ】図４のカバー、トレーケーシング及び引き出し型トレーを拡大して模式的に示した拡大分解斜視図である。
【図５Ｂ】図５Ａのトレーケーシング、引き出し型トレー及び乾燥台を分解拡大して組み立て工程を説明する分解拡大説明図である。
【図６】図１の赤外線ランプが備えられたトレー分離型赤外線食品乾燥機の組み立て過程を概略的に説明する分解拡大説明図である。
【図７】図１の赤外線ランプが備えられたトレー分離型赤外線食品乾燥機の使用状態を概略的に示した図で、部分分解斜視図である。
【発明を実施するための形態】
【００１４】
以下、本発明の一実施形態に係る赤外線ランプが備えられたトレー分離型赤外線食品乾燥機の好ましい実施形態を図面を参照して詳細に説明する。
【００１５】
下記で本発明を説明するに当たり、関連する公知の機能や構成に対する具体的な説明が本発明の要旨を不要に曖昧にする可能性があると判断される場合には、その詳細な説明を省略する。
【００１６】
図１〜図７に示すように、本発明に係る赤外線ランプが備えられたトレー分離型赤外線食品乾燥機１００は、収容空間と連通するように上部が開口した下側ケーシング１０２と、上記下側ケーシング１０２の底面の中央を貫通して、上記収容空間と連通するように設置される空気吸込部１０４と、上記下側ケーシング１０２の外面の一側に設置されると共に、作動スイッチ１０６及びディスプレイ部１０８を備え、電気的に接続された部品を制御する制御ユニット１１０と、上記空気吸込部１０４の上面に堅固に設置され、部品の離脱を防止するモータケーシング１１２と、上記モータケーシング１１２の内部の中央に設置されると共に、上記制御ユニット１１０に電気的に接続され、作動スイッチ１０６の操作に応じて作動するモータ１１４と、を含む。
【００１７】
また、本発明に係る赤外線ランプが備えられたトレー分離型赤外線食品乾燥機１００は、反射固定板１１６の上面の一側に沿って設置されると共に、上記制御ユニット１１０の作動スイッチ１０６の操作に応じて作動し、食品を乾燥、殺菌、及び脱臭するように赤外線を放出する赤外線ランプ１１８と、上記モータ１１４の作動時に空気吸込部１０４を介して空気を吸い込むと同時に、ケーシング下方空気吸込口１５３を介して吸い込んだ空気中に含まれた異物を、フィルタ１５０でフィルタリングして、異物がフィルタリングされた空気を、上側ケーシング１２４の側面に形成された側面下方空気吸込口１５１を介して、上記空気吸込口１０４へ吸い込んで送風するファン１２０と、上記下側ケーシング１０２の上面に設置された上記モータケーシング１１２、上記モータ１１４、及び上記赤外線ランプ１１８を固定し、さらに赤外線を反射する反射固定板１１６と、上記ファン１２０を保護し、上面中央部に沿って一定間隔を置いた空気排出口１２２を介して上記ファン１２０から送風される空気を引き出し型トレーに排出する上側ケーシング１２４と、上記上側ケーシング１２４の上面の一側に着脱可能に配置された第１トレーケーシング〜第６トレーケーシング１２６、１２８、１３０、１３２、１３４、１３６と、上記第１トレーケーシング〜第６トレーケーシング１２６、１２８、１３０、１３２、１３４、１３６の内部にスライド可能に配置され、取っ手１３８を各々備えた引き出し型トレー１４０と、上記引き出し型トレー１４０の内部に着脱可能に装着されて、上面に置かれる食品を乾燥、殺菌、及び脱臭する網板乾燥台１４２と、上記第３トレーケーシング１３０及び第６トレーケーシング１３６の上面に着脱可能に取り付けられて、内部の中央に空気排気口１４４を各々備えた引き出し型トレー１４０の内部の空気を外部に排気する、第１及び第２カバー１４６、１４８と、を含む。
【００１８】
上記上側ケーシング１２４は、その一側に、下部に吸込まれる空気が通る側面下方空気吸込口１５１が形成されており、上記側面下方空気吸込口１５１に吸込まれた空気に含まれた異物をフィルタリングするフィルタ１５０が設けられる。
【００１９】
一方、上記第１トレーケーシング〜第６トレーケーシング１２６、１２８、１３０、１３２、１３４、１３６の一側には、第１及び第２カバー１４６、１４８を介して排気されない上側の空気を吸い込むために、別のケーシング下方空気吸込口１５３が形成しており、ケーシング下方空気吸込口１５３を通過した上側空気は、フィルタ１５０を介してフィルタリングされて、上側ケーシング１２４の側面にある側面下方空気吸込口１５１を介して空気吸込部１０４に再循環される。
【００２０】
尚、上記上側ケーシング１２４には、その上面の一側に着脱可能に配置される第１トレーケーシング１２６と、上記第１トレーケーシング１２６の上面に着脱可能に配置される第２トレーケーシング１２８と、上記第２トレーケーシング１２８の上面に着脱可能に配置される第３トレーケーシング１３０と、が積層されている。
【００２１】
また、上記上側ケーシング１２４の上面他側と接触し、第１トレーケーシング１２６の外面に接触するように設置されると共に、着脱可能に配置される第４トレーケーシング１３２と、上記第４トレーケーシング１３２の上面他側に接触し、上記第２トレーケーシング１２８の外面に接触するように設置されると共に、着脱可能に配置される第５トレーケーシング１３４と、上記第５トレーケーシング１３４の上面他側に接触し、上記第３トレーケーシング１３０の外面に接触するように設置されると共に、着脱可能に配置される第６トレーケーシング１３６と、が積層されている。
【００２２】
上記のように構成された、本発明に係る赤外線ランプが備えられたトレー分離型赤外線食品乾燥機１００の組み立て工程及び作動を説明すると下記の通りである。
【００２３】
ここで、本発明の一実施形態に係る赤外線ランプが備えられたトレー分離型赤外線食品乾燥機１００の組立プロセスは、組み立てる者によっていくらでも変更できる。
【００２４】
まず、図６に示すように、上部が開口し、収容空間を備える下側ケーシング１０２を配置し、上記下側ケーシング１０２の底面の中央に、上記収容空間と連通するように空気吸込部１０４を設置する。次に、上記下側ケーシング１０２の外面の一側に制御ユニット１１０を設置することができ、作動スイッチ１０６及びディスプレイ部１０８を備える制御ユニット１１０を設置してもよい。この構成は、本発明の赤外線ランプが備えられたトレー分離型赤外線食品乾燥機１００の製造時の利便性による仕様により、必要に応じていずれかの一つの部分を省略して構成してもよい。
【００２５】
次に、上記空気吸込部１０４の上面に、モータ１１４の離脱を防止するモータケーシング１１２を設置した後、上記モータケーシング１１２の内部の中央にモータ１１４を設置する。
【００２６】
上記制御ユニット１１０に、上記モータ１１４を電気的に接続してもよい。
【００２７】
次に、上記モータケーシング１１２の上面の一側に沿って赤外線ランプ１１８を固定して反射する反射固定板１１６を設置した後、上記反射固定板１１６の上面に赤外線ランプ１１８を設置し、上記制御ユニット１１０に赤外線ランプ１１８を電気的に接続する。
【００２８】
上記赤外線ランプ１１８は、上記制御ユニット１１０の作動スイッチ１０６の操作に応じて作動し、食品を乾燥、殺菌及び脱臭する。次いで、上記モータ１１４に接続されたファン１２０を設置する。上記ファン１２０は、上記モータ１１４の作動時に空気吸込部１０４を介して空気を吸い込んで送風する。
【００２９】
次に、空気排出口１２２を備える上側ケーシング１２４を、上記下側ケーシング１０２の上面に設置する。ここで、上記上側ケーシング１２４は、上記モータケーシング１１２、上記モータ１１４、及び上記赤外線ランプ１１８を固定して反射する反射固定板１１６と、上記赤外線ランプ１１８と、上記ファン１２０とを保護する。
【００３０】
次に、上記上側ケーシング１２４の上面の一側にケーシング下方空気吸込口１５３を備える第１トレーケーシング１２６を設置した後、第１トレーケーシング１２６の上面にケーシング下方空気吸込口１５３を備える第２トレーケーシング１２８を設置する。さらに、上記第２トレーケーシング１２８の上面にケーシング下方空気吸込口１５３を備える第３トレーケーシング１３０を設置する。
【００３１】
次に、上記第１トレーケーシング１２６の外面の一側に接触するように、上記上側ケーシング１２４の上面の一側に、ケーシング下方空気吸込口１５３を備える第４トレーケーシング１３２を設置する。次いで、上記第２トレーケーシング１２８の外面の一側に接触するように、上記第４トレーケーシング１３２の上面に、ケーシング下方空気吸込口１５３を備える第５トレーケーシング１３４を設置する。その後、上記第３トレーケーシング１３０の外面の一側に接触するように、上記第５トレーケーシング１３４の上面に、ケーシング下方空気吸込口１５３を備える第６トレーケーシング１３６を設置する。
【００３２】
続いて、取っ手１３８を備えた引き出し型トレー１４０を配置した後、上記引き出し型トレー１４０の内部に網板乾燥台１４２を設置する。
【００３３】
ここで、上記網板乾燥台１４２は、食品を乾燥、殺菌及び脱臭させる作用をする。
【００３４】
次に、上記網板乾燥台１４２が設置された引き出し型トレー１４０を、上記第１トレーケーシング〜第６トレーケース１２６、１２８、１３０、１３２、１３４、１３６の内部に順次に押し込む。
【００３５】
次に、上記第３トレーケーシング１３０の上面に、空気排気口１４４を備える第１カバー１４６を設置した後、第６トレーケーシング１３６の上面に、空気排気口１４４を備える第２カバー１４８を設置する。
【００３６】
上記のようにして、本発明に係る赤外線ランプが備えられたトレー分離型赤外線食品乾燥機１００の組み立てが完了する。その後、図７に示すように、上記制御ユニット１１０に例示された作動スイッチ１０６を押圧する。
【００３７】
上記作動スイッチ１０６を押圧すると、上記モータ１１４が作動すると共に、赤外線ランプ１１８が作動し、上記モータ１１４の作動に応じてファン１２０が作動する。
【００３８】
上記ファン１２０が作動すると、上記下側ケーシング１０２の空気吸込部１０４を介して空気が吸い込まれ、吸い込まれた空気と、赤外線ランプ１１８から発生する熱とは、上側ケーシング１２４の空気排出口１２２を介して、第１トレーケーシング〜第６トレーケーシング１２６、１２８、１３０、１３２、１３４、１３６の内部に順次送られる。
【００３９】
ここで、上記第１トレーケーシング〜第６トレーケーシング１２６、１２８、１３０、１３２、１３４、１３６の内部には、網板乾燥台１４２の設けられた引き出し型トレー１４０が設置されている。
【００４０】
そのため、上記網板乾燥台１４２の上面に食品が置かれると、上記赤外線ランプ１１８から放出される赤外線によって食材が乾燥、殺菌及び脱臭され、また、赤外線ランプ１１８によって加熱される。さらに、ファン１２０によって送風される熱風によっても、食品が乾燥、殺菌及び脱臭されるのはいうまでもない。尚、上記第１トレーケーシング〜第６トレーケーシング１２６、１２８、１３０、１３２、１３４、１３６の内部の空気は、第１カバー１４６及び第２カバー１４８の内部の中央に設置された空気排気口１４４を介して外部に排気される。
【００４１】
上記網板乾燥台１４２の上面に置かれる食品は、高さがそれぞれ異なるため、食品の高さに合わせて網板乾燥台１４２を取り外せばよい。あるいは、本発明に係る赤外線ランプが備えられたトレー分離型赤外線食品乾燥機１００の製造時に、上記第１トレーケーシング〜第６トレーケーシング１２６、１２８、１３０、１３２、１３４、１３６の高さを、食品の特性に合わせて高さを高くあるいは低く調整できるように製作する方法で、サイズが異なるように製作して適用してもよい。
【００４２】
従って、上記第１トレーケーシング〜第６トレーケーシング１２６、１２８、１３０、１３２、１３４、１３６の内側を開口させて、互いに異なる高さを有する食品または収納容器を選択的に収納してもよく、第１トレーケーシング〜第６トレーケーシング１２６、１２８、１３０、１３２、１３４、１３６の高さが各々異なるように制作適用してもよい。また、本発明の例示で説明した第１トレーケーシング〜第６トレーケーシング１２６、１２８、１３０、１３２、１３４、１３６の積層段数は、ユーザーまたは製造業者の目的に応じて単層あるいは２層など、本発明に記載されていない積層階数で使用してもよい。
【００４３】
上記発明の詳細な説明は、単に本発明の例示的なものに過ぎず、これは単に本発明を説明するための目的で使用されたものであり、意味限定や特許請求の範囲に記載された本発明の範囲を制限するために使用されたものではない。従って、本技術分野の通常の知識を有する者であれば、これらから様々な変形及び均等な他の実施形態が可能である点を理解するであろう。従って、本発明の真の技術的保護範囲は、添付された特許請求の範囲の技術的思想によって定められなければならない。
【図１】
0006454025.tif 000002
【図２】
0006454025.tif 000003
【図３】
0006454025.tif 000004
【図４】
0006454025.tif 000005
【図５Ａ】
0006454025.tif 000006
【図５Ｂ】
0006454025.tif 000007
【図６】
0006454025.tif 000008
【図７】
0006454025.tif 000009